(57)【要約】【課題】本発明は、会員制のインターネットショップに各医院・病院・介護施設などの法人向け物品庫を設けることにより無駄のない商品の在庫管理が可能となる医院・病院・介護事業所用の医薬物品のインターネット販売システムを提供することを目的とするものである。【解決手段】本発明は、ウェブ上に作成されるネットショップと共有される自社物品庫を作成する手段と、ユーザーの端末パーソナルコンピュターからインターネット通信によりアクセスする手段とからなり、前記作成される自社物品庫内には階層化された発注元フォルダーからリピート発注、あるいは新規発注時には、前記自社物品庫画面より前記インターネット画面に自動アクセスして物品を選択し、前記発注元フォルダーから発注する構成とする。【選択図】図１
2008009651.tif 000002
【特許請求の範囲】
【請求項１】
医療機関・介護施設事業所を対象とする会員制の医薬物品のインターネット販売システムにおいて、
ウェブ上に作成されるネットショップと共有される自社物品庫を作成する手段と、
ユーザーの端末パーソナルコンピュターからインターネット通信によりアクセスする手段とからなり、
前記作成される自社物品庫内には階層化された発注元フォルダーからリピート発注、あるいは新規発注時には、前記自社物品庫画面より前記インターネット画面に自動アクセスして物品を選択し、前記発注元フォルダーから発注する
ことを特徴とする医院・病院・介護事業所用の医薬物品のインターネット販売システム。
【請求項２】
前記物品の発注プロセスにおける発注関連データが画面のルート・ディレクトリとして蓄積されて発注伝票データが自動作成される
ことを特徴とする請求項１記載の医院・病院・介護事業所用の医薬物品のインターネット販売システム。
【発明の詳細な説明】
【技術分野】
【０００１】
本発明は、医院・病院・介護事業所用の医薬物品のインターネットショップシステムに関する。詳しくは医院・病院・介護事業所における各患者単位での医薬物品の購入が行える医院・病院・介護事業所用の医薬物品のインターネット販売システムに係るものである。
【背景技術】
【０００２】
従来のインターネット販売システムでは、商品供給者が独自でホームページを作成し、一般顧客はインターネットを通じてホームページ上に作成されるジャンル別の商品カタログを見て、必要な商品の注文を行うものである。
【０００３】
例えば、医療・介護用品を扱うインターネットショップでは、顧客（個人）がインターネットを通じてネット通販会社のホームページにアクセスを行い、ホームページ上に作成される商品カタログから必要な医療・介護用品を選び出して注文するという販売システムである（特許文献１参照。）。
【０００４】
【特許文献１】特開２００３−３０４８２号公報
【発明の開示】
【発明が解決しようとする課題】
【０００５】
しかしながら前記のようなネットショッピングでは、その殆んどが個人向けであり、特に医療・介護用品では非常に多くのジャンルに分けられており、その必要とするジャンルを選び出して商品を注文しており非常に手間を要する問題がある。
【０００６】
また、医院・病院・介護施設では医療・介護用品の補充は、これらの商品を扱う卸販売会社が在庫を管理し、在庫切れや在庫が不足な商品の注文を受けているのが現状である。したがって、医院・病院・介護施設では業者任せとなることが多く、そのためにストックが過剰ぎみとなる問題がある。
【０００７】
更に、各患者における医療・介護用品の受注や消費などの管理が十分になされていない場合が多く、各患者別の保険請求が正確に行われ難い問題がある。
【０００８】
本発明は、以上の点に鑑みて創案されたものであって、会員制のインターネットショップに各医院・病院・介護施設などの法人別の物品庫を設けることにより無駄のない商品の在庫管理が可能となる医院・病院・介護事業所用の医薬物品のインターネット販売システムを提供することを目的とするものである。
【課題を解決するための手段】
【０００９】
上記の目的を達成するために、本発明に係る医院・病院・介護事業所用の医薬物品のインターネット販売システムは、医療機関・介護施設事業所を対象とする会員制の医薬物品のインターネット販売システムにおいて、ウェブ上に作成されるネットショップと共有される自社物品庫を作成する手段と、ユーザーの端末パーソナルコンピュターからインターネット通信によりアクセスする手段とからなり、前記作成される自社物品庫内には階層化された発注元フォルダーからリピート発注、あるいは新規発注時には、前記自社物品庫画面より前記インターネット画面に自動アクセスして物品を選択し、前記発注元フォルダーから発注する構成とする。
【００１０】
ここで、各会員事業所による部署・用途・物品などに応じてカスタマイズされたバーチャル上での物品庫を作成し、発注物品はリピート、あるいは新規を問わず、全ての発注が発注元フォルダーを介してインターネットなどの通信回線によってインターネットショップに自動発注が行われることとなる。
【００１１】
なお、本件における医薬物品とは、医薬品、衛生材料および介護用品などを含む名称をいう。
【発明の効果】
【００１２】
本発明の医院・病院・介護事業所用の医薬物品のインターネット販売システムでは、ショップ画面から自社物品庫（下層フォルダー＝患者別フォルダーなど）に物品を取り込むことにより物品をインターネットショップに発注したことになり、発注事務の簡便化が可能となる。
【００１３】
また、全国の全クリニック・病院の共同倉庫を一つのインターネットショップで実現することができ、かつ患者別フォルダーを設けることによって月次請求の自動化が可能となる。
【発明を実施するための最良の形態】
【００１４】
以下、本発明の実施の形態を図面を参酌しながら説明し、本発明の理解に供する。
図１は、本発明を適用した医院・病院・介護事業所用の医薬物品のインターネット販売システムの一例の概要を示すブロック説明図である。
【００１５】
ここで示すインターネット販売システムでは、会員制とし、各会員が所有するパーソナルコンピュター（以下「ＰＣ」と称する。）のウェブ上に医院・病院・介護施設（介護関連各種事業所）・訪問看護ステーションなどのユーザー用としての「医薬物品倉庫」が作成される。
【００１６】
このウェブ上の医薬物品倉庫は、会員から観れば「自社の物品倉庫そのもの」であり、サイトを管理運営するインターネットショップ運営側にとっては「ショップ」であり、実質的にはユーザー側とショップ側との「共同倉庫」となる。
【００１７】
すなわち、各事業者が端末のＰＣよりウェブ上において医薬物品倉庫を立ち上げ、これをインターネットなどの通信回線によって前記インターネットショップ運営側と連動させることによって前記「医薬物品倉庫」を介してショップから必要な医薬物品を選び出し、注文することによってショップ側は宅配便などの配送手段によって注文を受けた医薬物品が翌日に配達される構成とされるものである。
【００１８】
次に、医薬物品の発注までのステップを図２〜図８に示される画面を参考に詳述する。
まず、図２（ステップ１）に示すように端末用ＰＣに設けられる医院・病院・介護事業所用としてカスタマイズされたフォルダーを立ち上げると、画面上に「お客様ＩＤ」および「パスワード」の記入欄が表示される。
【００１９】
ここで、前記「お客様ＩＤ」および「パスワード」に所定の英数番号等を打ち込み、エンターキーを押すことによって、図３（ステップ２）に示すように、画面上にユーザーの事業所名、例えば本実施例では「岡野クリニック」様が表示されると共に、当該「岡野クリニック」医院での業務内容に応じて作成された「外来患者様用品」、「在宅患者様用品：訪問診療（往診）」および「在宅患者様用品：訪問看護」の大分類に分けたアイコンが表示される。
【００２０】
例えば、前記「外来患者様用品」のアイコンをクリックした場合には、図４（ステップ３）に示すように、衛生材料、消毒液などの種類別に分類される医薬物品のアイコンが表示される。
【００２１】
そこで衛生材料のアイコンをクリックした場合には、図５（ステップ４）に示すような「岡野クリニック／外来患者様用品／衛生材料」としての画面が開かれ、この画面上に「発注履歴」と「本日の発注」の画面が表示される。
【００２２】
この「発注履歴」画面に表示される衛生材料としての各物品の中に今回発注する衛生物品として例えば「使い捨て手袋」がある場合には、リピート発注チェックボックスにチェックを入れると、この「使い捨て手袋」が「本日の発注」画面に自動的に移動して表示される。そこで前記「本日の発注」画面に表示された「使い捨て手袋」の数量を書き込むことによって合計金額が自動計算され、ユーザーである岡野クリニックにおいて確認された後に発注ボタンをクリックすることでインターネットなどの通信回線によってインターネットショップに自動発注が行われる。
【００２３】
また、前記「発注履歴」画面に表示される衛生材料にない新規の衛生物品の発注を行う場合には、「Ｓｈｏｐ」へのボタンをクリックすることにより図６（ステップ５）に示すように、インターネットショップのホームページの一分類である「衛生医療全一覧」のウェブ画面に遷移される。
【００２４】
このインターネットショップ側の「衛生医療全一覧」ウェブ画面上において表示される物品の中の「介護用手袋」をクリックすることにより図７（ステップ６）に示されるように、前記インターネットショップ側で集約された全種類の「介護用手袋」を閲覧し、その中から選定した「介護用手袋」の画面に表示されている「商品を購入する」のボタンをクリックすることにより、図８（ステップ７）に示すように前記図５において詳述した「本日の発注」画面に移動されることとなり、この「本日の発注」に表示された新規の「使い捨て手袋」の数量を書き込むことによって合計金額が自動計算され、ユーザーである岡野クリニックにおいて確認された後に発注ボタンをクリックすることでインターネットなどの通信回線によってインターネットショップに自動発注が行われるとともに、発注された新規の「使い捨て手袋」は「発注履歴」画面に自動書き込みされることとなる。
【００２５】
本発明のインターネット販売システムでは、各会員事業所による部署・用途・物品などに応じてカスタマイズされたバーチャル上での物品庫を作成し、発注物品はリピート、あるいは新規を問わず、全ての発注が前記図５において詳述した「本日の発注」を介してインターネットなどの通信回線によってインターネットショップに自動発注が行われることとなる。
【００２６】
したがって、全ての医薬物品の発注が前記図５において詳述した「発注履歴」画面に月日ごとに自動的に書き込まれて表示されることになる。
また、新規物品の発注の際には発注物品の種類に応じた分類のウェブ画面に遷移されることになるためにユーザーが医薬物品の分類を選び出す必要がなく目的とする物品の選択が非常に分かりやすく行うことが可能となる。
【００２７】
ここで、例えば、医院の場合では、画面遷移を、入口→医院ＩＤ＋パスワードでログイン→自社物品庫とし、
自社物品庫のフォルダーの構成を
山田クリニック物品庫
・・外来患者用品
・・在宅患者用
・・訪問診療
・・訪問診療
・・山田太郎様（保険番号？？？？）
・・訪問看護
・・各患者
【００２８】
また、例えば、病院・介護施設などの場合では、画面遷移を、入口→病院（介護施設）ＩＤ＋パスワードでログイン→自社物品庫とし、
自社物品庫のフォルダーの構成を
物品庫
・・病棟
・・各フロア（ユニット）
・・各患者（入居者）
【００２９】
このような構成とすることにより、最下層フォルダーである「山田太郎様（保険番号？？？？）」用物品の発注は、同時にそこまでのフォルダーの「ディレクトリ」が「そのまま発注情報」となり、そのフォルダーに取り込まれたアイテムの種別や数量と合せて「発注＝請求データ」の作成がミス無く簡便に行うことができる。
【００３０】
このように前記請求データを基に患者ごとの請求明細書の自動作成が可能となる。
具体的には、保険番号による患者リストを表示し、そこから選んでクリックするだけで発注できるシステム設計とすることにより、月次での一括請求に「患者別明細＝保険点数処理済」の伝票（請求書）の発行が可能となる。
【００３１】
また、各医薬物品の出庫を最下層フォルダーで行うことにより物品庫内での在庫管理が可能となり、常に画面上において必要な医薬物品の補充を行うことにより無駄のない在庫管理が可能となる。
【図面の簡単な説明】
【００３２】
【図１】本発明を適用した医院・病院・介護事業所用の医薬物品のインターネット販売システムの一例の概要を示すブロック説明図である。
【図２】本発明を適用した医院・病院・介護事業所用の医薬物品のインターネット販売システムのステップ１における説明図である。
【図３】本発明を適用した医院・病院・介護事業所用の医薬物品のインターネット販売システムのステップ２における説明図である。
【図４】本発明を適用した医院・病院・介護事業所用の医薬物品のインターネット販売システムのステップ３における説明図である。
【図５】本発明を適用した医院・病院・介護事業所用の医薬物品のインターネット販売システムのステップ４における説明図である。
【図６】本発明を適用した医院・病院・介護事業所用の医薬物品のインターネット販売システムのステップ５における説明図である。
【図７】本発明を適用した医院・病院・介護事業所用の医薬物品のインターネット販売システムのステップ６における説明図である。
【図８】本発明を適用した医院・病院・介護事業所用の医薬物品のインターネット販売システムのステップ７における説明図である。
【図１】
2008009651.tif 000003
【図２】
2008009651.tif 000004
【図３】
2008009651.tif 000005
【図４】
2008009651.tif 000006
【図５】
2008009651.tif 000007
【図６】
2008009651.tif 000008
【図７】
2008009651.tif 000009
【図８】
2008009651.tif 000010